(57)【特許請求の範囲】
【請求項１】
複数の第１の開口が設けられた第１の面と、前記複数の第１の開口と連通する第２の開口が設けられた第２の面とを有するように断熱材で形成され、本体に収容される箱体と、
前記複数の第１の開口及び前記第２の開口の一方から前記箱体へ流入して他方から流出する気流を形成する送風機と、前記送風機を収容する送風機収容空間を有する送風機ケーシングとを含み、前記第２の開口から前記箱体の中へ挿入されることにより前記送風機収容空間と前記複数の第１の開口とが連通する送風機ユニットと、
を備え、
前記送風機ユニットが前記箱体へ挿入された際に該箱体と前記送風機ケーシングとが当接する箇所に、前記箱体及び前記送風機ケーシングの一方に設けられた凸形状と他方に設けられた凹形状との嵌め合わせによって気密を保持する構造を設けたことを特徴とする換気装置。
【請求項２】
前記箱体は、抜き勾配が設けられた外壁面と、
前記抜き勾配と方向が逆で大きさが同じ傾きを前記外壁面に対して有する面が形成された逆勾配部とを備え、
前記逆勾配部を介して前記本体に支持されることを特徴とする請求項１記載の換気装置。
【請求項３】
前記送風機は、モータ部が前記送風機ケーシングからはみ出して該送風機ケーシングに収納されており、
前記箱体は、前記モータ部の前記送風機ケーシングからはみ出した部分との干渉を回避する溝を備えることを特徴とする請求項１又は２記載の換気装置。
【請求項４】
前記気流は、前記第２の開口から前記箱体の中へ流入して前記複数の第１の開口から流出することを特徴とする請求項１から３のいずれか１項記載の換気装置。
【請求項５】
前記箱体は、前記第１の面に第３の開口を、前記第２の面に前記第３の開口と連通する第４の開口をそれぞれ有することを特徴とする請求項４記載の換気装置。
【請求項６】
前記気流は、前記複数の第１の開口から前記箱体の中へ流入して前記第２の開口から流出することを特徴とする請求項１から３のいずれか１項記載の換気装置。
【請求項７】
前記第１の面と前記第２の面とが対向していることを特徴とする請求項１から６のいずれか１項記載の換気装置。
【発明の詳細な説明】
【技術分野】
【０００１】
本発明は、送風機によって外気を室内に供給するとともに、室内の空気を屋外に排出する同時給排気装置、または送風機によって外気を室内に供給する給気装置、若しくは送風機によって室内の空気を屋外に排出する排気装置などの換気装置に関する。
【背景技術】
【０００２】
従来の同時給排気換気装置は、１以上の吹出口又は吸込口を備えた給気用分岐チャンバと、給気送風機用ケーシング又は排気送風機用ケーシングとを連結して配置した構成であった（例えば、特許文献１。）。
【０００３】
特許文献１のように、給気ファンと排気ファンとが一つのモータによって駆動される天井カセット型の同時給排気装置では、給気風路を構成する給気分岐用箱体の外側に給気送風機用ケーシングを備えている。そのため、室内への給気空気が給気分岐用箱体と給気送風機用ケーシングとの隙間を介して本体外郭に漏れることがないように、気密用シール材が必要となってしまう。また、給気送風機用ケーシングは樹脂で成形する都合上、風路を構成するためには給気送風機用ケーシング蓋が別途必要となる。そのため、給気送風機用ケーシングと給気送風機用ケーシング蓋とを固定するための接着剤も必要となる。
【先行技術文献】
【特許文献】
【０００４】
【特許文献１】特許第３９７９３４１号公報
【発明の概要】
【発明が解決しようとする課題】
【０００５】
例えば、天井カセット型の同時給排気装置においては給気風路を構成する部品として、給気送風機用ケーシング、給気用分岐チャンバ、給気送風機用ケーシング蓋、気密用シール材が必要となる。そのため、部品点数が多く、材料費、加工費が高くなる。なおかつ、給気送風機用ケーシングと給気送風機用ケーシング蓋とは、接着剤を用いて接合されており、気密用シール材を含め、部品点数の増加は避けられない。
【０００６】
給気送風機用ケーシングは、給気空気が本体外郭板金に接触し、本体の周囲空気が冷やされて結露が発生することを防止するために断熱性が必要となる。また、屋外からの給気空気以外の天井裏の空気などを吸入しないようにするため、給気風路を構成する部品同士の接合面では気密用シール材が必要となる。断熱性を持つ成型部品のみで給気風路を構成する場合、各々の部品を成型する上での抜き勾配が必要となるため、部品合わせ面での気密確保が困難となる。
【０００７】
本発明は、上記に鑑みてなされたものであって、給気風路を構成する部品の点数が少なく、気密性及び断熱性を確保した換気装置を得ることを目的とする。
【課題を解決するための手段】
【０００８】
上述した課題を解決し、目的を達成するために、本発明は、複数の第１の開口が設けられた第１の面と、複数の第１の開口と連通する第２の開口が設けられた第２の面とを有するように断熱材で形成され、本体に収容される箱体と、複数の第１の開口及び第２の開口の一方から箱体へ流入して他方から流出する気流を形成する送風機と、送風機を収容する送風機収容空間を有する送風機ケーシングとを含み、第２の開口から箱体の中へ挿入されることにより送風機容部空間と複数の第１の開口とが連通する送風機ユニットと、を備え、送風機ユニットが箱体へ挿入された際に箱体と送風機ケーシングとが当接する箇所に、箱体及び送風機ケーシングの一方に設けられた凸形状と他方に設けられた凹形状との嵌め合わせによって気密を保持する構造を設けたことを特徴とする。
【発明の効果】
【０００９】
本発明によれば、換気流の風路の気密性や断熱性を損なうことなく部品点数を削減して材料費や加工費などの製造コストを低減できるという効果を奏する。
【図面の簡単な説明】
【００１０】
【図１】図１は、本発明の実施の形態にかかる換気装置を用いた換気システムの構成を示す図である。
【図２】図２は、換気装置の設置状態を示す図である。
【図３】図３は、本体の内部の給気風路を示す図である。
【図４】図４は、給気送風機ユニットの構成を示す図である。
【図５】図５は、給気分岐用箱体の構成を示す図である。
【図６】図６は、凹凸嵌め合わせ構造を示す図である。
【図７】図７は、給気分岐用箱体に設けられた副還気風路を示す図である。
【図８】図８は、連続した単一面での気密保持構造を示す図である。
【図９】図９は、従来の換気装置の全体図である。
【図１０】図１０は、従来の換気装置で用いられる給気風路構成部品を示す図である。
【図１１】図１１は、排気装置の一例を示す図である。
【発明を実施するための形態】
【００１１】
以下に、本発明にかかる換気装置の実施の形態を図面に基づいて詳細に説明する。なお、この実施の形態によりこの発明が限定されるものではない。
【００１２】
実施の形態．
図１は、本発明の実施の形態にかかる換気装置を用いた換気システムの構成を示す図である。換気装置の本体１は、建物内の屋根裏又は天井裏の空間に設置され、新鮮外気を外気給気口８２から内部へ導入し、給気風路を分岐させて複数の室内給気口８３を経て室内に供給する。一方、室内空気は、本体１下面に設けられた室内排気口８４から本体１内へ導入され、室外排気口８５を経て室外へ排気される。また、本体１は局所排気口８６から導入された一部の室内空気について室外排気口８５を経て室外に排気する経路を有する。
【００１３】
図２は、換気装置の設置状態を示す図である。図２に示すように、本体１は、外郭に設けた天吊金具２によって天井裏に吊り下げられた天吊用アンカーボルト３に対して固定するか、又は、外郭板金４の野縁取付フランジ５を天井材の上部に専用に設けられた野縁に固定することによって設置される。
【００１４】
図２に示すように、換気装置は、意匠パネル１２に設けられた室内排気口８４を介して室内から空気を取り込み、排気風路８を経て、本体１の一側面にある排気ダクト接続口６に接続した排気ダクト４６を通じて屋外（室外排気口８５）へ排気する。また、換気装置は、給気ダクト接続口７に接続した給気ダクト４７を介して屋外（外気給気口８２）から新鮮な空気を取り込む。排気ダクト接続口６及び給気ダクト接続口７が設けられた側とは逆の側面には室内へ空気を配するための室内給気ダクト接続口１０（第１の開口）が複数設けられている。それぞれの室内給気ダクト接続口１０に室内給気ダクト４８を介し、屋外から取り入れられた新鮮な空気が居室空間（複数の室内給気口８３）へ供給される。
【００１５】
また、室内給気ダクト接続口１０が設けられた面（第１の面）には、局所的に排気を行うための排気副還気ダクト接続口１１（第３の開口）が設けられている。排気副還気ダクト接続口１１に局所排気口８６へ通ずる排気副還気ダクト４９を接続することで、副還気風路２６を通り、本体下面にある意匠パネル１２以外からも室内空気を本体１へ取り込み屋外に排気することが可能である。
【００１６】
図３は、本体１の内部の給気風路９を示す図である。給気ダクト接続口７から取り込まれた新鮮な空気は、本体１の内部に設置された給気分岐用箱体１８を経て室内給気ダクト接続口１０へ達し、室内給気ダクト４８へ送られる。
【００１７】
図４は、給気送風機ユニット１７の構成を示す図である。モータベース１３と給気駆動モータ１４と給気送風機１５と給気送風機用ケーシング１６がネジ４５などで固定されて給気送風機ユニット１７が構成される。
【００１８】
給気送風機ユニット１７は給気分岐用箱体１８に収納される。給気分岐用箱体１８は給気送風機ユニット１７から押し出される給気空気を複数経路に分配するための機能を持つ。また、給気分岐用箱体１８は、給気空気が本体１の外郭板金４に接触することで本体１の周囲空気が冷やされて結露が発生するのを防止する断熱性を持つ。さらに、給気分岐用箱体１８は、給気送風機ユニット１７が屋外からの給気空気以外の天井裏の空気などを吸入しないようにするために、気密性を持った樹脂材料で形成される。給気駆動モータ１４はモータベース１３に対して、駆動軸が下を向いた状態で取り付けられ、給気分岐用箱体１８が本体に組み込まれた状態では、本体１の上側に給気駆動モータ１４が位置している。そのため、給気駆動モータ１４及び給気送風機１５を本体１設置状態で室内から離れた場所となる上側に設置することが可能となり、騒音の低下を図れる。
【００１９】
図５は、給気分岐用箱体１８の構成を示す図である。図５（ａ）は、給気分岐用箱体１８の全体の構成を示す斜視図である。給気分岐用箱体１８は給気ダクト接続口取付面１９（第１の面）及びその側面と、面全体が開放されて形成された開口（第２の開口）を有し給気ダクト接続口取付面１９と対面する面（第２の面）で構成され、断熱性を持つ箱型の成型品とする。給気ダクト接続口取付面１９にはダクト接続部２０が設けられている。
【００２０】
給気送風機ユニット１７は、給気ダクト接続口取付面と反対側の面（開口面）６１から給気分岐用箱体１８内に挿入される。これにより、給気風路の折れ曲がりが小さくなり、圧力損失を低減できる。図６は、凹凸嵌め合わせ構造を示す図であり、図６（ａ）は凹凸嵌め合わせ構造の斜視図であり、図６（ｂ）は、凹凸嵌め合わせ構造の上面図である。給気分岐用箱体１８に給気送風機ユニット１７を挿入した際に気密を保持するための合わせ面２１は、例えば図６に示す凹凸嵌め合わせ構造を有し、凹形状４１と凸形状４２との接触で気密を保持する。給気分岐用箱体１８の外側には金型からの離型を容易にするために抜き勾配を設ける必要があるが、抜き勾配を打ち消す面を備えた逆勾配部２２を設けることで、本体１の内郭面との接触を水平に保持できる。例えば、抜き勾配として１°の勾配を設ける場合には、抜き勾配面に対して−１°の勾配を有する面を備えるように逆勾配部２２を設けることで、逆勾配部２２によって本体１を水平に保持することが可能となる。
【００２１】
また同様に、給気分岐用箱体１８の内側にも金型からの離型を容易にするための抜き勾配を設ける必要があるが、抜き勾配を打ち消す面を備えた、逆勾配部２３を設けることで、給気分岐用箱体１８に収納するモータベース１３を水平に保持できる。
【００２２】
図５（ｂ）は、図５（ａ）におけるＶｂ−Ｖｂ断面図である。給気分岐用箱体１８は、排気副還気ダクト４９や室内給気ダクト４８が接続される排気副還気ダクト接続口１１及び室内給気ダクト接続口１０が設けられる部分の内壁側に、排気副還気ダクト接続口１１や室内給気ダクト接続口１０を固定するために、ダクト接続部２０にはリブ又は樹脂爪構造の接合構造２４を備えている。これにより、排気副還気ダクト４９や室内給気ダクト４８の径に合わせて排気副還気ダクト接続口１１や室内給気ダクト接続口１０を付け替えることができる。また、給気分岐用箱体１８には給気駆動モータ１４のブラケット部５０がモータベース１３からの飛び出すことを許容する溝２５が設けられており、給気送風機ユニット１７をスライドさせて挿入できるようになっている。
【００２３】
給気分岐用箱体１８内に収納される給気送風機ユニット１７は、給気分岐用箱体１８内に収納する前に、給気駆動モータ１４、モータベース１３、給気送風機１５、給気送風機用ケーシング１６によって組み立てられる構造となっている。
【００２４】
図７は、給気分岐用箱体１８に設けられた副還気風路２６を示す図である。給気分岐用箱体１８に設けられた排気副還気ダクト接続口１１から取り込まれた室内の排気は、室内への給気とは反対の方向に流れ、給気ダクト接続口取付面１９と対向する面に設けられた開口（第４の開口）を介して排気送風機に吸い込まれて屋外へ排気される構造となっている。
【００２５】
図８は、連続した単一面での気密保持構造を示す図であり、図８（ａ）は気密保持構造の斜視図であり、図８（ｂ）は、気密保持構造の側面図である。図３に示した給気風路９において、給気分岐用箱体１８の給気ダクト接続口取付面１９と反対側の面６１と、隣接する部品５１の合わせ部６２は、それぞれ図８に示す勾配を設けた連続した単一面７１、７２を備える。そのため、製品設置状態で、隣接する部品５１を鉛直下方からスライドして接触させ気密保持が可能である。
【００２６】
または、図６に示すような凹凸嵌め合わせ構造を給気分岐用箱体１８と隣接する部品５１との接合部に設けることで、凹形状と凸形状との接触により気密を保持することができる。
【００２７】
比較のために、従来の同時給排気装置について説明する。図９は、従来の同時給排気装置の全体図である。給気風路２９と排気風路３０とを備えた同時給排気を行う換気装置であり、給気送風機３５を収容する給気送風機用ケーシング３１と排気送風機用ケーシング３２とが製品高さ方向に連結されており、給気送風機用ケーシング３１に給気分岐用チャンバ３３が接続される。
【００２８】
図１０は、従来の換気装置で用いられる給気風路構成部品を示す図である。給気駆動モータ３４と給気送風機３５とがモータベース３６にネジ４５によって締結される。また、給気送風機用ケーシング蓋３７が給気送風機用ケーシング３１に接着剤３８で固定される。モータベース３６と給気送風機用ケーシング３１とは、ネジ４５で締結されて給気送風機ユニット３９を構成する。給気分岐用チャンバ３３と給気送風機ユニット３９とは連結して配置されており、気密はシール材４０で確保されている。
【００２９】
このような給気風路構成では、給気送風機用ケーシング３１と給気送風機用ケーシング蓋３７との固定に用いる接着剤が必要となる。また、給気用分岐チャンバ３３と給気送風機用ケーシング３１とを連結して気密をとるためのシール材４０も必要となる。そのため、部品点数が多く、加工費、材料費ともに高くなる。また、接着剤３８及びシール材４０による気密では、品質上の安定性がなく、給気空気漏れ及び本体外郭板金４への結露が生じるおそれがある。
【００３０】
本実施の形態では、給気送風機ユニット１７が給気分岐用箱体１８に収容され、両者の合わせ部には凹凸嵌め合わせ構造が設けられるため、接着剤やシール材は不要であり、安定した気密性能が得られる上に、組立工数を削減できる。このように、本実施の形態にかかる換気装置では、上記従来の換気装置の問題が解消されている。
【００３１】
なお、上記の説明では、送風機の吹出側を給気分岐用箱体１８内に挿入する場合を例としたが、図１１に示すように、排気送風機ユニット２７を排気分岐用箱体２８に挿入し、気密、断熱を保持しつつ複数の局所換気口からの排気風路３０を合流させる排気装置として実施することも可能である。
【符号の説明】
【００３２】
１  本体
２  天吊金具
３  天吊用アンカーボルト
４  外郭板金
５  野縁取付フランジ
６  排気ダクト接続口
７  給気ダクト接続口
８、３０  排気風路
９、２９  給気風路
１０  室内給気ダクト接続口
１１  排気副還気ダクト接続口
１２  意匠パネル
１３、３６  モータベース
１４、３４  給気駆動モータ
１５、３５  給気送風機
１６、３１  給気送風機用ケーシング
１７、３９  給気送風機ユニット
１８  給気分岐用箱体
１９  給気ダクト接続口取付面
２０  ダクト接続部
２１  合わせ面
２２、２３  逆勾配部
２４  接合構造
２５  溝
２６  副還気風路
２７  排気送風機ユニット
２８  排気分岐用箱体
３２  排気送風機用ケーシング
３３  給気分岐用チャンバ
３７  給気送風機用ケーシング蓋
３８  接着剤
４０  シール材
４１  凹形状
４２  凸形状
４５  ネジ
４８  室内給気ダクト
４９  排気副還気ダクト
５０  ブラケット部
５１  隣接する部品
６１  給気ダクト接続口取付面と反対側の面
６２  合わせ部
７１、７２  勾配を設けた連続した単一面
８２  外気給気口
８３  室内給気口
８４  室内排気口
８５  室外排気口
８６  局所排気口
【図１】
0005478550.tif 000002
【図２】
0005478550.tif 000003
【図３】
0005478550.tif 000004
【図４】
0005478550.tif 000005
【図５】
0005478550.tif 000006
【図６】
0005478550.tif 000007
【図７】
0005478550.tif 000008
【図８】
0005478550.tif 000009
【図９】
0005478550.tif 000010
【図１０】
0005478550.tif 000011
【図１１】
0005478550.tif 000012